(57)【特許請求の範囲】
【請求項１】
光ファイバーケーブルの余長部分が巻き取られて配置されるトレイ部と、
前記トレイ部に設けられ、余長部分を巻き取る際に余長部分をガイドするとともに、巻き取られる余長部分を巻き取られる方向と交差する方向から挟み込むように配置された１対の挟み込み部と、
余長処理作業に応じて前記トレイ部において移動可能に配置され、余長部分が巻き取られた後では前記１対の挟み込み部の間を渡すように配置されて、巻き取られた余長部分を保持するための押さえ部と、
前記１対の挟み込み部のうちの一方の挟み込み部に対して、前記押さえ部の一端を回動可能に支持する回動支持部と、
前記押さえ部の他端を他方の挟み込み部に係止するための係止部と、
前記押さえ部が配置される高さを調整するための高さ調整部と
を有し、
前記高さ調整部は、
前記１対の挟み込み部のうちの少なくとも一方の挟み込み部に、余長部が嵩張る高さ方向に沿って形成され、前記押さえ部の一端側が挿通されて、前記押さえ部の移動を可能にする第１長穴部と、
前記第１長穴部に挿通された前記押さえ部の一端側を所定の位置にて固定する第１固定部と
を備えた、光ファイバーケーブルの余長処理構造。
【請求項２】
前記押さえ部は、余長部分が巻き取られる際には前記１対の挟み込み部の間の領域に架からないように位置している、請求項１記載の光ファイバーケーブルの余長処理構造。
【請求項３】
前記１対の挟み込み部の間隔を調整するための間隔調整部を有し、
前記間隔調整部は、
余長部が延びる方向と交差する方向に沿って前記トレイ部に形成され、前記１対の挟み込み部のうちの少なくとも一方の挟み込み部が挿通されて、前記一方の挟み込み部の移動を可能にする第２長穴部と、
前記第２長穴部に挿通された前記一方の挟み込み部を所定の位置にて固定する第２固定部と
を備えた、請求項１または２に記載の光ファイバーケーブルの余長処理構造。
【発明の詳細な説明】
【０００１】
【発明の属する技術分野】
本発明は光ファイバーケーブルの余長処理構造に関し、特に、光ファイバーケーブルによって通信を行なうための光伝送装置に適用される光ファイバーケーブルの余長処理構造に関するものである。
【０００２】
【従来の技術】
光伝送装置等においては、光ファイバーケーブルの余長部分を処理するために余長処理構造が採用されている。そのような従来の光ファイバーケーブルの余長処理構造の一例として、特開２００１−１１９１６３号公報に開示された光ファイバーケーブルの余長処理構造について説明する。
【０００３】
図２０に示すように、プリント基板１０１上に平板状のトレイ１０２が配設されている。そのトレイ１０２上の所定の４箇所に、光ファイバーケーブル１０３の余長部分を収納するための互いに対向する壁１０２ａ、１０２ｂがそれぞれ設けられている。
【０００４】
その壁１０２ａの上部には、壁１０２ｂの側に向かって突出したホルダー１０２ｃが複数設けられている。同様に、壁１０２ｂの上部にも、壁１０２ａの側に向かって突出したホルダー１０２ｃが複数設けられている。
【０００５】
上述した光ファイバーケーブルの余長処理構造においては、互いに対向する壁１０２ａと壁１０２ｂとによって挟まれた領域に光ファイバーケーブル１０３の余長部分が順次収納されて、光ファイバーケーブル１０３の余長部分が巻き取られることになる。
【０００６】
巻き取られた光ファイバーケーブル１０３の余長部分は複数のホルダー１０２ｃによって保持されることになる。
【０００７】
【発明が解決しようとする課題】
しかしながら、従来の光ファイバーケーブルの余長処理構造では、次のような問題点があった。
【０００８】
まず、光ファイバーケーブル１０３の余長部分が比較的長い場合には、壁１０２ａと壁１０２ｂとによって挟まれた領域に巻き取られて収納される光ファイバーケーブル１０３が嵩張ってしまう。そのため、ホルダー１０２ｃによって光ファイバーケーブル１０３を保持することが困難になって、光ファイバーケーブル１０３が容易に壁１０２ａ、１０２ｂからはみ出してしまうことがあった。
【０００９】
一方、光ファイバーケーブル１０３の余長部分が比較的短い場合には、壁１０２ａと壁１０２ｂとによって挟まれた部分に巻き取られて収納される光ファイバーケーブル１０３が容易に動いてしまうという問題があった。
【００１０】
また、図２１に示すように、壁１０２ａ、１０２ｂのそれぞれの上部にホルダー１０２ｃが固定されているために、光ファイバーケーブル１０３の余長部分の巻き取り作業の際には、このホルダー１０２ｃを避けて巻き取り作業を行なわなければならず、余長部分の巻き取り作業の効率が悪いという問題があった。
【００１１】
本発明は上記問題点を解決するためになされたものであり、その目的は光ファイバーケーブルの余長部分の巻き取り作業の効率が向上するとともに、巻き取られた光ファイバーケーブルの余長部分を確実に保持することのできる光ファイバーケーブルの余長処理構造を提供することである。
【００１２】
【課題を解決するための手段】
本発明に係る光ファイバーケーブルの余長処理構造は、トレイ部と１対の挟み込み部と押さえ部と回動支持部と係止部と高さ調整部とを有している。トレイ部には、光ファイバーケーブルの余長部分が巻き取られて配置される。１対の挟み込み部は、トレイ部に設けられ、余長部分を巻き取る際に余長部分をガイドするとともに、巻き取られる余長部分を巻き取られる方向と交差する方向から挟み込むように配置されている。押さえ部は、余長処理作業に応じてトレイ部において移動可能に配置され、余長部分が巻き取られた後では１対の挟み込み部の間を渡すように配置されて、巻き取られた余長部分を保持する。回動支持部は、１対の挟み込み部のうちの一方の挟み込み部に対して、押さえ部の一端を回動可能に支持する。係止部は押さえ部の他端を他方の挟み込み部に係止する。高さ調整部は押さえ部が配置される高さを調整する。その高さ調整部は、第１長穴部と第１固定部とを備えている。第１長穴部は、１対の挟み込み部のうちの少なくとも一方の挟み込み部に、余長部が嵩張る高さ方向に沿って形成され、押さえ部の一端側が挿通されて、押さえ部の移動を可能にする。第１固定部は、第１長穴部に挿通された押さえ部の一端側を所定の位置にて固定する。
【００１３】
この構造によれば、押さえ部が、余長処理作業に応じてトレイ部において移動可能に配置されることで、従来の光ファイバーケーブルの余長処理構造のように押さえ部によって巻き取り動作が阻害されることがなくなる。これにより、光ファイバーケーブルの余長処理作業ひいては配線作業を効率よく行なうことができる。また、余長部分が巻き取られた後では１対の挟み込み部の間を渡すように配置されることで、巻き取られた光ファイバーケーブルの余長部が対向する１対の挟み込み部の間の領域からはみ出すのを容易に阻止することができる。
また、押さえ部を回動すことによって容易に押さえ部を他方の挟み込み部に係止することができる。
さらに、挟み込み部に設けられた第１長穴部における所定の位置に押さえ部を固定することで、巻き取られる光ファイバーケーブルの余長部の嵩張りに応じて押さえ部の位置（高さ）を容易に調整することができて、巻き取られる光ファイバーケーブルの余長部の長さに応じて光ファイバーケーブルの余長部分を確実に収納してこれを保持することができる。
そして、巻き取り動作が阻害されないようにするために、押さえ部は、余長部分が巻き取られる際には１対の挟み込み部の間の領域に架からないように位置していることが好ましい。
【００１６】
この場合には、押さえ部の弾性を利用して容易に押さえ部を他方の挟み込み部に係止することができる。
【００１９】
さらに、１対の挟み込み部の間隔を調整するための間隔調整部を有し、その間隔調整部は、余長部が延びる方向と交差する方向に沿ってトレイ部に形成され、１対の挟み込み部のうちの少なくとも一方の挟み込み部が挿通されて、一方の挟み込み部の移動を可能にする第２長穴部と、その第２長穴部に挿通された一方の挟み込み部を所定の位置にて固定する第２固定部とを備えていることが好ましい。
【００２０】
この場合には、１対の挟み込み部を第２長穴部における所定の位置に第２固定部によって固定することで、巻き取られる光ファイバーケーブルの余長部の長さに応じて光ファイバーケーブルの余長部分を収納する領域を容易に調整することができる。その結果、巻き取られる光ファイバーケーブルの余長部の長さに応じて光ファイバーケーブルの余長部分を確実に収納してこれを保持することができる。
【００２３】
【発明の実施の形態】
実施の形態１
本発明の実施の形態１に係る光ファイバーケーブルの余長処理構造について説明する。図１に示すように、プリント基板１上に平板状のトレイ２が配設されている。そのトレイ２上の所定の４箇所に、光ファイバーケーブル３の余長部分を案内して収納するための互いに対向する挟み込み部としての壁２ａ、２ｂがそれぞれ設けられている。
【００２４】
その壁２ａの位置する側には、対向する壁２ａ、２ｂの間に収納された光ファイバーケーブル３を保持するための押さえ部としての押さえホルダー２ｃの支柱部分が固定されている。押さえホルダー２ｃは、たとえば樹脂等の弾性を有する材料から形成されている。壁２ｂの位置する側には、光ファイバーケーブル３の余長部が巻き取られた後に押さえホルダー２ｃを係止するための係止部２ｄが設けられている。
【００２５】
光ファイバーケーブル３の余長部が巻き取られる際には、押さえホルダー２ｃは、後述するように、光ファイバーケーブル３の余長部が巻き取られる領域以外の領域に位置している。光ファイバーケーブル３の余長部が巻き取られた後には、押さえホルダー２ｃの弾性を利用して押さえホルダー２ｃの先端部分が係止部２ｄに係止される。
【００２６】
次に、上述した光ファイバーケーブルの余長処理構造による光ファイバーケーブルの余長部の巻き取り動作について説明する。
【００２７】
まず、図１および図２に示すように、光ファイバーケーブル３の余長部を巻き取る際には、押さえホルダー２ｃは光ファイバーケーブル３の余長部が巻き取られる領域以外の領域に位置している。すなわち、押さえホルダー２ｃは対向する１対の壁２ａ、２ｂの間の領域に架からないように位置している。
【００２８】
この状態で光ファイバーケーブル３の余長部が、対向する１対の壁２ａ、２ｂの間の領域に順次巻き取られる。図３に示すように、光ファイバーケーブル３の余長部の巻き取りが完了すると、押さえホルダー２ｃの弾性を利用して押さえホルダー２ｃの先端部分が係止部２ｄに係止される。このようにして、光ファイバーケーブルの余長部の巻き取り動作が行なわれる。
【００２９】
上述した光ファイバーケーブルの余長処理構造によれば、光ファイバーケーブルの配線時においてその余長部を巻き取る際に、押さえホルダー２ｃが対向する１対の壁２ａ、２ｂの間の領域に架からないように位置していることで、押さえホルダー２ｃによって巻き取り動作が阻害されることがなくなる。これにより、光ファイバーケーブル３の余長処理作業ひいては配線作業を効率よく行なうことができる。
【００３０】
また、余長処理が完了した後では、押さえホルダー２ｃの先端部分が係止部２ｄに係止されることで、巻き取られた光ファイバーケーブル３の余長部が対向する１対の壁２ａ、２ｂの間の領域からはみ出すのを容易に阻止することができる。
【００３１】
その押さえホルダー２ｃとして、たとえば樹脂等の弾性を有する材料から形成された押さえホルダー２ｃを用いることで、押さえホルダー２ｃの弾性を利用して押さえホルダー２ｃの先端部分を係止部２ｄに容易に係止することができるとともに、比較的安価に光ファイバーケーブルの余長処理構造が得られる。
【００３２】
なお、上述した実施の形態では、光ファイバーケーブルの余長部を巻き取る際には、図１および図２に示すように、弾性を有する押さえホルダー２ｃには負荷を作用させない状態とし、光ファイバーケーブルの余長部の巻き取りが完了した後では、図３に示すように、押さえホルダー２ｃの先端部を係止部２ｄに係止させることで弾性を有する押さえホルダー２ｃに負荷を作用させた状態とする場合について説明した。
【００３３】
この他に、図４に示すように、光ファイバーケーブル３の余長部を巻き取る際には、押さえホルダー２ｃの先端部を壁２ａの側に設けられた係止部２ｄに係止させることで弾性を有する押さえホルダー２ｃに負荷を作用させた状態とし、光ファイバーケーブルの余長部の巻き取りが完了した後では、図５に示すように、押さえホルダー２ｃを負荷から開放させた状態となるように押さえホルダー２ｃおよび係止部２ｄを設けてもよい。
【００３４】
実施の形態２
本発明の実施の形態２に係る光ファイバーケーブルの余長処理構造について説明する。図６に示すように、プリント基板１上に平板状のトレイ２が配設されている。そのトレイ２上の所定の４箇所に、光ファイバーケーブル３の余長部分を案内して収納するための互いに対向する挟み込み部としての案内ホルダー２ｇ、２ｉが設けられている。
【００３５】
一方の案内ホルダー２ｇに、対向する案内ホルダー２ｇ、２ｉの間に収納された光ファイバーケーブル３を保持するための押さえホルダー４が回動自在に設けられている。図７に示すように、押さえホルダー４の一端に設けられた突起４ａが案内ホルダー２ｇに設けられた穴２ｈに挿入される。押さえホルダー４の他端には、押さえホルダー４を案内ホルダー２ｉに係止するためのリブ４ｂが設けられている。
【００３６】
次に、上述した光ファイバーケーブルの余長処理構造による光ファイバーケーブルの余長部の巻き取り動作について説明する。
【００３７】
まず、図６に示すように、光ファイバーケーブル３の余長部を巻き取る際には、押さえホルダー４は光ファイバーケーブル３の余長部が巻き取られる領域以外の領域に位置している。すなわち、押さえホルダー４は対向する１対の案内ホルダー２ｇ、２ｉの間の領域に架からないように位置している。
【００３８】
この状態で光ファイバーケーブル３の余長部が、対向する１対の案内ホルダー２ｇ、２ｉの間の領域に順次巻き取られる。図８に示すように、光ファイバーケーブル３の余長部の巻き取りが完了すると、押さえホルダー４が回動されて押さえホルダー４のリブ４ｂが案内ホルダー２ｉに係止される。このようにして、光ファイバーケーブルの余長部の巻き取り動作が行なわれる。
【００３９】
上述した光ファイバーケーブルの余長処理構造によれば、光ファイバーケーブルの配線時においてその余長部を巻き取る際に、押さえホルダー４が対向する１対の案内ホルダー２ｇ、２ｉの間の領域に架からないように位置していることで、押さえホルダー４によって巻き取り動作が阻害されることがなくなる。これにより、光ファイバーケーブル３の余長処理作業ひいては配線作業を効率よく行なうことができる。
【００４０】
また、余長処理が完了した後では、押さえホルダー４を回動させて押さえホルダー４のリブ４ｂを案内ホルダー２ｉに係止させることで、巻き取られた光ファイバーケーブル３の余長部が対向する１対の案内ホルダー２ｇ、２ｉの間の領域からはみ出すのを容易に阻止することができる。
【００４１】
なお、上述した実施の形態では、押さえホルダー４の一端に突起４ａが設けられ、案内ホルダー２ｇにその突起４ａが挿入される穴２ｈが形成された場合を例に挙げて説明したが、案内ホルダー２ｇに突起を設けるとともに、押さえホルダー４の一端にその突起が挿入される穴を設けても、案内ホルダー２ｇに対して押さえホルダー４を回動可能に支持することができる。
【００４２】
実施の形態３
本発明の実施の形態３に係る光ファイバーケーブルの余長処理構造について説明する。図９に示すように、プリント基板１上に平板状のトレイ２が配設されている。そのトレイ２上の所定の４箇所に、光ファイバーケーブル３の余長部分を案内して収納するための互いに対向する挟み込み部としてのピン部２ｆと押さえホルダー２ｃの支柱部２２ｃが設けられている。
【００４３】
後述するように、光ファイバーケーブル３の余長部の巻き取りが完了すると、押さえホルダー２ｃがピン部２ｆに係止される。支柱部２２ｃを含む押さえホルダー２ｃは、たとえば樹脂等の弾性を有する材料から形成されている。
【００４４】
また、光ファイバーケーブル３の余長部を巻き取る際に、押さえホルダー２ｃを係止して、光ファイバーケーブル３の余長部が巻き取られる領域以外の領域に押さえホルダー２ｃを配置させるためのピン部２ｅが設けられている。
【００４５】
この場合、押さえホルダー２ｃは、図１０に示すように、負荷から開放された状態でピン部２ｆとピン部２ｅとの間（２点鎖線）に位置し、光ファイバーケーブル３の余長部の巻き取りの際にはピン部２ｅに係止され、余長部の巻き取りが完了した状態では、図１１に示すようにピン部２ｆに係止されることになる。
【００４６】
次に、上述した光ファイバーケーブルの余長処理構造による光ファイバーケーブルの余長部の巻き取り動作について説明する。
【００４７】
まず、図１０に示すように、光ファイバーケーブル３の余長部を巻き取る際には、押さえホルダー２ｃは光ファイバーケーブル３の余長部が巻き取られる領域以外の領域に位置している。すなわち、押さえホルダー２ｃは対向するピン部２ｆと押さえホルダー２ｃの支柱部２２ｃの間の領域に架からないようにピン部２ｅに係止されている。
【００４８】
この状態で光ファイバーケーブル３の余長部が、対向するピン部２ｆと押さえホルダー２ｃの支柱部２２ｃの間の領域に順次巻き取られる。図１１に示すように、光ファイバーケーブル３の余長部の巻き取りが完了すると、押さえホルダー２ｃがピン部２ｆに係止される。このようにして、光ファイバーケーブルの余長部の巻き取り動作が行なわれる。
【００４９】
上述した光ファイバーケーブルの余長処理構造によれば、光ファイバーケーブルの配線時においてその余長部を巻き取る際に、押さえホルダー２ｃはピン部２ｅに係止されて、対向するピン部２ｆと押さえホルダー２ｃの支柱部２２ｃの間の領域に架からないように位置していることで、押さえホルダー２ｃによって巻き取り動作が阻害されることがなくなる。これにより、光ファイバーケーブル３の余長処理作業ひいては配線作業を効率よく行なうことができる。
【００５０】
また、余長処理が完了した後では、押さえホルダー２ｃがピン部２ｆに係止されることで、巻き取られた光ファイバーケーブル３の余長部が対向するピン部２ｆと押さえホルダー２ｃの支柱部２２ｃの領域からはみ出すのを容易に阻止することができる。
【００５１】
なお、上述した実施の形態では、押さえホルダー２ｃは、負荷から開放された状態ではピン部２ｆとピン部２ｅとの間（２点鎖線）に位置し、巻き取りの際にはピン部２ｅに係止され、巻き取りが完了した状態ではピン部２ｆに係止される場合を例に挙げて説明した。
【００５２】
この他に、図１２に示すように巻き取りの際にはピン部２ｅに係止され、図１３に示すように、巻き取りが完了した後では負荷から開放された状態としてピン部２ｆに係止されるように押さえホルダー２ｃを配置させてもよい。
【００５３】
実施の形態４
本発明の実施の形態４に係る光ファイバーケーブルの余長処理構造について説明する。図１４に示すように、プリント基板１上に平板状のトレイ２が配設されている。そのトレイ２上の所定の４箇所に、光ファイバーケーブル３の余長部分を案内して収納するための互いに対向する挟み込み部としての１対の案内ホルダー５が設けられている。
【００５４】
図１５に示すように、トレイ２には巻き取られる光ファイバーケーブルの余長部の長さに応じて光ファイバーケーブル３の余長部分が収納される領域を調整するための所定の長穴２ｊが設けられている。この長穴２ｊは、光ファイバーケーブルの余長部が巻き取られる方向と交差する方向に形成されている。案内ホルダー５の下端部には、その長穴２ｊに挿通されるロック部５ｂが形成されている。
【００５５】
さらに、案内ホルダー５の下端部にははね部５ａが形成されて、はね部５ａの弾性力によりトレイ２がロック部５ｂとはね部５ａとによって挟み込まれることによって、案内ホルダー５が長穴２ｊにおける所定の位置に固定されることになる。
【００５６】
一方の案内ホルダー５に、対向する１対の案内ホルダー５の間の領域に収納された光ファイバーケーブル３を保持するための押さえホルダー４が回動自在に設けられている。図１５に示すように、押さえホルダー４の一端に設けられた突起４ａが案内ホルダー５に設けられた穴５ｃに挿入される。押さえホルダー４の他端には、押さえホルダー４を他方の案内ホルダー５に係止するためのリブ４ｂが設けられている。
【００５７】
次に、上述した光ファイバーケーブルの余長処理構造による光ファイバーケーブルの余長部の巻き取り動作について説明する。
【００５８】
まず、巻き取られる光ファイバーケーブルの余長部の長さに応じて光ファイバーケーブル３の余長部分を収納する領域を確保するために、長穴２ｊの適当な位置に案内ホルダー５のロック部５ｂを挿通し、ロック部５ｂとはね部５ａとによって案内ホルダー５をトレイ２に固定する。
【００５９】
次に、図１４に示すように、光ファイバーケーブル３の余長部を巻き取る際には、押さえホルダー４は対向する１対の案内ホルダー５の間の領域に架からないように位置している。
【００６０】
この状態で光ファイバーケーブル３の余長部が、対向する１対の案内ホルダー５の間の領域に順次巻き取られる。図１６に示すように、光ファイバーケーブル３の余長部の巻き取りが完了すると、押さえホルダー４が回動されて押さえホルダー４のリブ４ｂが案内ホルダー５に係止される。このようにして、光ファイバーケーブルの余長部の巻き取り動作が行なわれる。
【００６１】
上述した光ファイバーケーブルの余長処理構造によれば、たとえば実施の形態２において説明したように、余長部を巻き取る際に、押さえホルダー４が対向する１対の案内ホルダー５の間の領域に架からないように位置していることで、押さえホルダー４によって巻き取り動作が阻害されることがなくなり、光ファイバーケーブル３の余長処理作業ひいては配線作業を効率よく行なうことができる。
【００６２】
また、余長処理が完了した後では、押さえホルダー４のリブ４ｂが案内ホルダー５に係止されることで、巻き取られた光ファイバーケーブル３の余長部が対向する１対の案内ホルダー５の間の領域からはみ出すのを容易に阻止することができる。
【００６３】
そして、この光ファイバーケーブルの余長処理構造では長穴２ｊを有し、案内ホルダー５を長穴２ｊにおける所定の位置に固定することで、巻き取られる光ファイバーケーブルの余長部の長さに応じて光ファイバーケーブル３の余長部分を収納する領域を容易に調整することができる。
【００６４】
その結果、巻き取られる光ファイバーケーブルの余長部の長さに応じて光ファイバーケーブル３の余長部分を確実に収納してこれを保持することができる。
【００６５】
実施の形態５
本発明の実施の形態５に係る光ファイバーケーブルの余長処理構造について説明する。図１７に示すように、プリント基板１上に平板状のトレイ２が配設されている。そのトレイ２上の所定の４箇所に、光ファイバーケーブル３の余長部分を案内して収納するための互いに対向する挟み込み部としての１対の案内ホルダー５が設けられている。
【００６６】
図１８に示すように、トレイ２には巻き取られる光ファイバーケーブルの余長部の長さに応じて光ファイバーケーブル３の余長部分が収納される領域を調整するための所定の長穴２ｊが設けられている。案内ホルダー５の下端部には、その長穴２ｊに挿通されるロック部５ｂが形成されている。
【００６７】
案内ホルダー５の下端部にははね部５ａが形成されて、はね部５ａの弾性力によりロック部５ｂとはね部５ａとによってトレイ２が挟み込まれることによって、案内ホルダー５が長穴２ｊにおける所定の位置に固定されることになる。
【００６８】
一方の案内ホルダー５に、対向する１対の案内ホルダー５の間に収納された光ファイバーケーブル３を保持するための押さえ部としての押さえホルダー４が、ホルダー支持部６を介して回動自在に設けられている。
【００６９】
図１８に示すように、押さえホルダー４の一端に設けられた突起４ａがホルダー支持部６に設けられた穴６ｃに挿入される。押さえホルダー４の他端には、押さえホルダー４を他方のホルダー支持部６に係止するためのリブ４ｂが設けられている。
【００７０】
さらに、案内ホルダー５には、余長部の長さに応じて余長部分が嵩張る方向に対して押さえホルダー４の位置（高さ）を調整するために、所定の長穴５ｃが設けられている。ホルダー支持部６の一端部には、その長穴５ｃに挿通されるロック部６ｂが形成されている。
【００７１】
さらに、ホルダー支持部６の一端部にははね部６ａが形成されて、はね部６ａの弾性力により案内ホルダー５がロック部６ｂとはね部６ａとによって挟み込まれることによって、ホルダー支持部および押さえホルダー４が長穴５ｃにおける所定の位置に固定されることになる。
【００７２】
次に、上述した光ファイバーケーブルの余長処理構造による光ファイバーケーブルの余長部の巻き取り動作について説明する。
【００７３】
まず、実施の形態４において説明したように、巻き取られる光ファイバーケーブルの余長部の長さに応じて光ファイバーケーブル３の余長部分を収納する領域を確保するために、長穴２ｊの適当な位置に案内ホルダー５のロック部５ｂを挿通し、ロック部５ｂとはね部５ａとによって案内ホルダー５をトレイ２に固定する。
【００７４】
次に、図１８に示すように、光ファイバーケーブル３の余長部を巻き取る際には、押さえホルダー４は対向する１対の案内ホルダー５の間の領域に架からないように位置している。
【００７５】
この状態で光ファイバーケーブル３の余長部が、対向する１対の案内ホルダー５の間の領域に順次巻き取られる。図１９に示すように、光ファイバーケーブル３の余長部の巻き取りが完了すると、光ファイバーケーブルの嵩張りの程度に応じて長穴５ｃの適当な位置にホルダー支持部６のロック部６ｂを挿通し、ロック部６ｂとはね部６ａとによってホルダー支持部６を固定する。そして、押さえホルダー４が回動されて押さえホルダー４のリブ４ｂが案内ホルダー５に係止される。このようにして、光ファイバーケーブルの余長部の巻き取り動作が行なわれる。
【００７６】
上述した光ファイバーケーブルの余長処理構造によれば、実施の形態４において説明した光ファイバーケーブルの余長処理構造に加えて、さらに次のような効果が得られる。
【００７７】
この光ファイバーケーブルの余長処理構造では案内ホルダー５に長穴５ｃが設けられ、ホルダー支持部６を長穴５ｃにおける所定の位置に固定することで、巻き取られる光ファイバーケーブル３の余長部の嵩張りに応じて押さえホルダー４の位置（高さ）を容易に調整することができる。
【００７８】
その結果、巻き取られる光ファイバーケーブルの余長部の長さに応じて光ファイバーケーブル３の余長部分を確実に収納してこれを保持することができる。
【００７９】
今回開示された実施の形態はすべての点で例示であって、制限的なものではないと考えられるべきである。本発明は上記の説明ではなくて特許請求の範囲によって示され、特許請求の範囲と均等の意味および範囲内でのすべての変更が含まれることが意図される。
【００８０】
【発明の効果】
本発明に係る光ファイバーケーブルの余長処理構造によれば、押さえ部が、余長処理作業に応じてトレイ部において移動可能に配置されることで、従来の光ファイバーケーブルの余長処理構造のように押さえ部によって巻き取り動作が阻害されることがなくなる。これにより、光ファイバーケーブルの余長処理作業ひいては配線作業を効率よく行なうことができる。また、余長部分が巻き取られた後では１対の挟み込み部の間を渡すように配置されることで、巻き取られた光ファイバーケーブルの余長部が対向する１対の挟み込み部の間の領域からはみ出すのを容易に阻止することができる。
また、押さえ部を回動すことによって容易に押さえ部を他方の挟み込み部に係止することができる。
さらに、挟み込み部に設けられた第１長穴部における所定の位置に押さえ部を固定することで、巻き取られる光ファイバーケーブルの余長部の嵩張りに応じて押さえ部の位置（高さ）を容易に調整することができて、巻き取られる光ファイバーケーブルの余長部の長さに応じて光ファイバーケーブルの余長部分を確実に収納してこれを保持することができる。
そして、巻き取り動作が阻害されないようにするために、押さえ部は、余長部分が巻き取られる際には１対の挟み込み部の間の領域に架からないように位置していることが好ましい。
【００８４】
さらに、１対の挟み込み部の間隔を調整するための間隔調整部を有し、その間隔調整部は、余長部が延びる方向と交差する方向に沿ってトレイ部に形成され、１対の挟み込み部のうちの少なくとも一方の挟み込み部が挿通されて、一方の挟み込み部の移動を可能にする第２長穴部と、その第２長穴部に挿通された一方の挟み込み部を所定の位置にて固定する第２固定部とを備えていることが好ましく、この場合には、１対の挟み込み部を第２長穴部における所定の位置に第２固定部によって固定することで、巻き取られる光ファイバーケーブルの余長部の長さに応じて光ファイバーケーブルの余長部分を収納する領域を容易に調整することができる。その結果、巻き取られる光ファイバーケーブルの余長部の長さに応じて光ファイバーケーブルの余長部分を確実に収納してこれを保持することができる。
【図面の簡単な説明】
【図１】  本発明の実施の形態１に係る光ファイバーケーブルの余長処理構造の斜視図である。
【図２】  同実施の形態において、図１に示す光ファイバーケーブルの余長処理構造の動作を説明するための第１の状態を示す部分斜視図である。
【図３】  同実施の形態において、図１に示す光ファイバーケーブルの余長処理構造の動作を説明するための第２の状態を示す部分斜視図である。
【図４】  同実施の形態において、変形例に係る光ファイバーケーブルの余長処理構造の動作を説明するための第１の状態を示す部分斜視図である。
【図５】  同実施の形態において、変形例に係る光ファイバーケーブルの余長処理構造の動作を説明するための第２の状態を示す部分斜視図である。
【図６】  本発明の実施の形態２に係る光ファイバーケーブルの余長処理構造の斜視図である。
【図７】  同実施の形態において、図６に示す光ファイバーケーブルの余長処理構造の動作を説明するための第１の状態を示す部分斜視図である。
【図８】  同実施の形態において、図６に示す光ファイバーケーブルの余長処理構造の動作を説明するための第２の状態を示す部分斜視図である。
【図９】  本発明の実施の形態３に係る光ファイバーケーブルの余長処理構造の斜視図である。
【図１０】  同実施の形態において、図９に示す光ファイバーケーブルの余長処理構造の動作を説明するための第１の状態を示す部分斜視図である。
【図１１】  同実施の形態において、図９に示す光ファイバーケーブルの余長処理構造の動作を説明するための第２の状態を示す部分斜視図である。
【図１２】  同実施の形態において、変形例に係る光ファイバーケーブルの余長処理構造の動作を説明するための第１の状態を示す部分斜視図である。
【図１３】  同実施の形態において、変形例に係る光ファイバーケーブルの余長処理構造の動作を説明するための第２の状態を示す部分斜視図である。
【図１４】  本発明の実施の形態４に係る光ファイバーケーブルの余長処理構造の斜視図である。
【図１５】  同実施の形態において、図１４に示す光ファイバーケーブルの余長処理構造の動作を説明するための第１の状態を示す部分斜視図である。
【図１６】  同実施の形態において、図１４に示す光ファイバーケーブルの余長処理構造の動作を説明するための第２の状態を示す部分斜視図である。
【図１７】  本発明の実施の形態５に係る光ファイバーケーブルの余長処理構造の斜視図である。
【図１８】  同実施の形態において、図１７に示す光ファイバーケーブルの余長処理構造の動作を説明するための第１の状態を示す部分斜視図である。
【図１９】  同実施の形態において、図１７に示す光ファイバーケーブルの余長処理構造の動作を説明するための第２の状態を示す部分斜視図である。
【図２０】  従来の光ファイバーケーブルの余長処理構造の斜視図である。
【図２１】  図２０に示す光ファイバーケーブルの余長処理構造の部分斜視図である。
【符号の説明】
１  プリント基板、２  トレイ、２ａ、２ｂ  壁、２ｃ  押さえホルダー、２ｄ〜２ｆ  係止部、２ｇ、２ｉ、５  案内ホルダー、２ｈ、６ｃ  穴、２ｊ、５ｃ  長穴、３  光ファイバーケーブル、４  押さえホルダー、４ａ  突起、４ｂリブ、５ａ、６ａ  はね部、５ｂ、６ｂ  ロック部、６  ホルダー支持部。
【図１】
0003913103.tif 000002
【図２】
0003913103.tif 000003
【図３】
0003913103.tif 000004
【図４】
0003913103.tif 000005
【図５】
0003913103.tif 000006
【図６】
0003913103.tif 000007
【図７】
0003913103.tif 000008
【図８】
0003913103.tif 000009
【図９】
0003913103.tif 000010
【図１０】
0003913103.tif 000011
【図１１】
0003913103.tif 000012
【図１２】
0003913103.tif 000013
【図１３】
0003913103.tif 000014
【図１４】
0003913103.tif 000015
【図１５】
0003913103.tif 000016
【図１６】
0003913103.tif 000017
【図１７】
0003913103.tif 000018
【図１８】
0003913103.tif 000019
【図１９】
0003913103.tif 000020
【図２０】
0003913103.tif 000021
【図２１】
0003913103.tif 000022